(57)【要約】【課題】軸流ファンが発生する風量の減損を小さくすることにより、性能を落とさずに小型化が可能であるヘアドライヤを提供する。【解決手段】ハウジング１内の吸気口１１から軸流ファン３までの一部分は、軸流ファン３へ向けて内径が狭くなる勾配部６１になっている。軸流ファン３の回転軸に対する勾配角度は、勾配部６１を軸流ファン３へ向けて延長させた仮想面６２が軸流ファン３の上流側端部でケーシング３２よりも回転軸に近くなるような角度に定められている。ハウジング１の内面に沿って流れてきた気流がケーシング３２に衝突せずに流れ易くなるので、気流の損失が小さくなる。軸流ファン３が発生させる気流の風量の減損が小さくなり、性能を落とさずに軸流ファン３を小型化してヘアドライヤを小型化することが可能となる。【選択図】図４
2014046090.tif 000002
【特許請求の範囲】
【請求項１】
一端を吸気口とした筒状の風路と、該風路内に配置されており、前記風路に沿って送風する軸流ファンとを備えるヘアドライヤにおいて、
前記風路内の前記吸気口から前記軸流ファンまでの一部の内面に、前記軸流ファンに向けて内径が狭くなる勾配を設けてあり、
前記軸流ファンの回転軸に対する前記勾配の角度は、前記一部の内面を前記軸流ファンに向けて前記勾配に沿って仮想的に延長させた仮想面の前記軸流ファンの上流側端部での内径が前記軸流ファンの外径以下になる角度であること
を特徴とするヘアドライヤ。
【請求項２】
前記軸流ファンは、回転翼と、該回転翼の周りに設けられたケーシングとを有し、
前記勾配の角度は、前記軸流ファンの上流側端部で前記仮想面が前記ケーシングよりも前記回転軸に近くなる角度であること
を特徴とする請求項１に記載のヘアドライヤ。
【請求項３】
前記風路は、筒状のハウジングを用いて構成されており、
該ハウジングの一部の外径を他よりも小さくしてあることによって前記勾配を形成してあること
を特徴とする請求項１又は２に記載のヘアドライヤ。
【請求項４】
前記風路は、筒状のハウジングを用いて構成されており、
該ハウジングの内側に前記風路の内径を狭めるための部材を配置してあることにより、前記勾配を形成してあること
を特徴とする請求項１又は２に記載のヘアドライヤ。
【発明の詳細な説明】
【技術分野】
【０００１】
本発明は、筒状のハウジング内に軸流ファンを備えたヘアドライヤに関する。
【背景技術】
【０００２】
ヘアドライヤには、筒状のハウジングの内部に軸流ファン及びヒータを備え、ハウジングの内部を風路としたものがある。ヘアドライヤは、一端の吸気口から吸入した空気を加温して他端の排気口から排出することにより、温風を放出し、使用者は、ヘアドライヤからの温風を毛髪に当てることにより、毛髪を乾燥させる。特許文献１には、ヘアドライヤの例が開示されている。
【先行技術文献】
【特許文献】
【０００３】
【特許文献１】特開平５−２６９０１７号公報
【発明の概要】
【発明が解決しようとする課題】
【０００４】
ヘアドライヤには、小型化の要望がある。単純にヘアドライヤを小型化した場合は、ハウジング内の軸流ファンが小型化する。軸流ファンは、通常、回転翼の周りにケーシングが設けられた構成となっており、ハウジング内に軸流ファンが配置された状態では、ハウジングの内側にケーシングが存在し、ケーシングの更に内側に回転翼が存在する。吸気口から吸入された気流の一部は、ハウジングの内面とケーシングの間の隙間に進入するか、又はケーシングに衝突し、回転翼の回転による気流が乱される。このため、気流に損失が生じ、ハウジング内の軸流ファンが発生する風量は減損している。軸流ファンを小型化した場合は更に風量が減少するので、小型化したヘアドライヤは性能が低いという問題がある。
【０００５】
本発明は、斯かる事情に鑑みてなされたものであって、その目的とするところは、軸流ファンが発生する風量の減損を小さくすることにより、性能を落とさずに小型化が可能であるヘアドライヤを提供することにある。
【課題を解決するための手段】
【０００６】
本発明に係るヘアドライヤは、一端を吸気口とした筒状の風路と、該風路内に配置されており、前記風路に沿って送風する軸流ファンとを備えるヘアドライヤにおいて、前記風路内の前記吸気口から前記軸流ファンまでの一部の内面に、前記軸流ファンに向けて内径が狭くなる勾配を設けてあり、前記軸流ファンの回転軸に対する前記勾配の角度は、前記一部の内面を前記軸流ファンに向けて前記勾配に沿って仮想的に延長させた仮想面の前記軸流ファンの上流側端部での内径が前記軸流ファンの外径以下になる角度であることを特徴とする。
【０００７】
本発明においては、風路内に軸流ファンを配置したヘアドライヤは、風路内の吸気口と軸流ファンとの間の一部に、軸流ファンに向けて内径が狭くなる勾配を設けてある。勾配の角度は、勾配を設けた内面を延長すると軸流ファンの大きさの範囲内になる角度である。風路の内面に沿って軸流ファンまで流れてきた気流は、軸流ファンの外側へ流れ難くなり、気流の損失が小さくなる。
【０００８】
本発明に係るヘアドライヤは、前記軸流ファンは、回転翼と、該回転翼の周りに設けられたケーシングとを有し、前記勾配の角度は、前記軸流ファンの上流側端部で前記仮想面が前記ケーシングよりも前記回転軸に近くなる角度であることを特徴とする。
【０００９】
本発明においては、風路の内面の勾配の角度は、勾配を設けた内面を延長すると軸流ファンのケーシングよりも回転軸に近い位置になる角度である。風路の内面に沿って軸流ファンまで流れてきた気流は、軸流ファンの外側へ流れ難く、またケーシングに衝突し難くなり、気流の損失がより小さくなる。
【００１０】
本発明に係るヘアドライヤは、前記風路は、筒状のハウジングを用いて構成されており、該ハウジングの一部の外径を他よりも小さくしてあることによって前記勾配を形成してあることを特徴とする。
【００１１】
本発明においては、風路を構成する筒状のハウジングの一部の外径を小さくすることによって、外径が小さくなった部分の内面に勾配が設けられている。
【００１２】
本発明に係るヘアドライヤは、前記風路は、筒状のハウジングを用いて構成されており、該ハウジングの内側に前記風路の内径を狭めるための部材を配置してあることにより、前記勾配を形成してあることを特徴とする。
【００１３】
本発明においては、筒状のハウジングの内側に、内径を狭めるための部材を配置していることによって、勾配を設けた風路が形成されている。
【発明の効果】
【００１４】
本発明にあっては、軸流ファンが発生させる風量の減損が小さくなり、軸流ファンが発生させることのできる風量が増大する。従って、発生させる気流の風量を落とさずに軸流ファンを小型化することが可能となり、性能を落とさずにヘアドライヤを小型化することが可能となる等、本発明は優れた効果を奏する。
【図面の簡単な説明】
【００１５】
【図１】本実施の形態に係るヘアドライヤの外観を示す斜視図である。
【図２】ヘアドライヤの側面図である。
【図３】へアドライヤの内部構造図である。
【図４】ハウジングの一部及び軸流ファンの位置関係を示す模式的断面図である。
【図５】ハウジングに他の部材を組み合わせて風路を形成したヘアドライヤの模式的断面図である。
【発明を実施するための形態】
【００１６】
以下本発明をその実施の形態を示す図面に基づき具体的に説明する。
図１は、本実施の形態に係るヘアドライヤの外観を示す斜視図であり、図２は、ヘアドライヤの側面図である。ヘアドライヤは、筒状のハウジング１にグリップ２を取り付けた構成になっている。ハウジング１の一端は吸気口１１になっており、他端は排気口１２になっており、ハウジング１の内部は風路になっている。吸気口１１には、網板状の吸気口カバー１３が取り付けられている。吸気口カバー１３を通過した空気が吸気口１１からハウジング１内へ吸入される。グリップ２には、使用者がヘアドライヤを動作させるために操作するスイッチ２１が設けられている。また、グリップ２には、図示しない電源コードが連結されており、ヘアドライヤは電源コードを介して外部から電力を供給される。
【００１７】
図３は、へアドライヤの内部構造図である。図３には、ヘアドライヤ内の側断面を示している。ハウジング１の内部には、ハウジング１の筒長方向に送風する軸流ファン３が配置されている。軸流ファン３は、回転翼３１と、回転翼３１の周りに設けられたケーシング３２とを有している。軸流ファン３が動作することによって、外部の空気が吸気口１１から吸入され、ハウジング１の内部を風路として気流が発生し、排気口１２から気流が排出される。軸流ファン３の回転軸は、ハウジング１の筒長方向に平行である。軸流ファン３と排気口１２との間には、ヒータ４が配置されている。ヒータ４は、ハウジング１の筒長方向に沿って配置された支持板に電熱線を巻き付けた構成となっている。ヒータ４はハウジング１内の空気を加温し、排気口１２から排出される気流を温風にする。
【００１８】
吸気口カバー１３は、網板状に形成されており、吸気口１１を塞ぐように取り付けられている。吸気口カバー１３は、空気を通過させる一方で、異物がハウジング１内に進入することを防止する。また、吸気口カバー１３は、ハウジング１に対して着脱可能になっている。ヘアドライヤは、空気中に空気イオンを発生させるイオン発生ユニット５を備えており、イオン発生ユニット５は、吸気口カバー１３の内面に装着されている。イオン発生ユニット５は、軸流ファン３の回転軸の延長線上に配置されている。
【００１９】
イオン発生ユニット５は、針状の放電電極と、放電電極の周囲を囲む円環状の誘導電極とを備えている。放電電極と誘電電極との間に電圧が印加されてコロナ放電が発生し、コロナ放電によって放電電極の周囲に空気イオンが発生する。イオン発生ユニット５は、Ｈ+ （Ｈ2 Ｏ）m 等の正の空気イオンとＯ2-（Ｈ2 Ｏ）n 等の負の空気イオンとの両方を発生させるために、放電電極及び誘電電極の組を二組有している。イオン発生ユニット５は、ハウジング１内の空気中に、正及び負の空気イオンを発生させる。イオン発生ユニット５が発生させた空気イオンは、吸気口１１からハウジング１内へ吸入された空気中に放出され、空気イオンを含んだ気流が排気口１２から排出される。ヘアドライヤが排出した気流は使用者の毛髪に当たり、気流に含まれる空気イオンによって、毛髪の除電及び保湿が促進される効果が得られる。
【００２０】
図４は、ハウジング１の一部及び軸流ファン３の位置関係を示す模式的断面図である。図４中では、ハウジング１及び軸流ファン３以外の構成物は省略している。ハウジング１内の内面の吸気口１１から軸流ファン３までの一部分は、軸流ファン３へ向けて内径が狭くなる勾配が設けられた勾配部６１になっている。図４中には、勾配部６１を軸流ファン３へ向けて仮想的に延長させた仮想面６２を破線で示している。軸流ファン３の回転軸に対する勾配部６１の勾配角度は、仮想面６２が軸流ファン３の上流側端部の位置でケーシング３２よりも回転軸に近くなるような角度に定められている。勾配部６１は、ハウジング１の一部の外径を他の部分よりも小さくすることによって形成されている。ハウジング１の勾配部６１の外側になる部分には、ハウジング１を絞るように外径を他の部分よりも小さくした絞り部１４が形成されている。
【００２１】
図４には、軸流ファン３によって吸気口１１から吸入されてハウジング１内を流れる気流の一部を矢印で示している。図４に示すように、吸気口１１から吸入されて勾配部６１に沿って流れた気流は、勾配部６１が無くなった部分でも、仮想面６２に沿って流れ易い。仮想面６２は、軸流ファン３の位置でケーシング３２よりも回転軸に近いので、仮想面６２に沿って流れた気流は、ケーシング３２に衝突することなく、回転翼３１によって排気口１２側へ流される。このように、ハウジング１の内面に沿って流れてきた気流がケーシング３２に衝突せずに流れ易いので、ケーシング３２に衝突する気流、又はハウジング１の内面とケーシング３２との間に進入する気流は、割合が少なくなる。このため、軸流ファン３が発生する気流が乱されることが少なくなり、気流の損失が小さくなる。気流の損失が小さくなることにより、軸流ファン３が発生させる風量の減損が小さくなり、軸流ファン３が発生させることのできる風量が増大する。具体的には、従来に比べて風量が４〜５％増大する。従って、発生させる気流の風量を落とさずに軸流ファン３を小型化することが可能となり、性能を落とさずにヘアドライヤを小型化することが可能となる。
【００２２】
なお、軸流ファン３の回転軸に対する勾配部６１の勾配角度は、軸流ファン３の上流側端部での仮想面６２の内径がケーシング３２を含めた軸流ファン３の外径以下になるような角度であればよい。仮想面６２がケーシング３２よりも回転軸に近い場合に比べて仮想面６２の内径が大きいとしても、仮想面６２の内径が軸流ファン３の外径以下であれば、ハウジング１の内面とケーシング３２との間に進入する気流は割合が少なくなる。このため、気流の損失が小さくなり、同様に、軸流ファン３が発生させることのできる風量が従来よりも増大する。従って、この場合でも、性能を落とさずにヘアドライヤを小型化することが可能となる。
【００２３】
なお、ヘアドライヤは、ハウジング１に他の部材を組み合わせて風路を形成した形態であってもよい。図５は、ハウジング１に他の部材を組み合わせて風路を形成したヘアドライヤの模式的断面図である。ハウジング１の内側の吸気口１１と軸流ファン３との間の一部に、軸流ファン３へ向けて内径を狭めるための勾配用部材６３が配置されている。吸気口１１から軸流ファン３までの風路の一部は勾配用部材６３で構成されている。勾配用部材６３は、樹脂等の材料で形成されており、ハウジング１の内面に接合されている。勾配用部材６３の内面は勾配部６１となっており、軸流ファン３の回転軸に対する勾配部６１の勾配角度は、勾配部６１を仮想的に延長させた仮想面６２が軸流ファン３の位置でケーシング３２よりも回転軸に近くなるような角度に定められている。この形態では、勾配用部材６３を用いて勾配部６１を形成しており、ハウジング１に絞り部１４を形成するための加工が不必要となる。
【符号の説明】
【００２４】
１  ハウジング
１１  吸気口
１３  吸気口カバー
１４  絞り部
２  グリップ
３  軸流ファン
３１  回転翼
３２  ケーシング
４  ヒータ
５  イオン発生ユニット
６１  勾配部
６２  仮想面
６３  勾配用部材
【図１】
2014046090.tif 000003
【図２】
2014046090.tif 000004
【図３】
2014046090.tif 000005
【図４】
2014046090.tif 000006
【図５】
2014046090.tif 000007